【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
三相の電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、
一対の直流母線（ＬＨ，ＬＬ）と、
前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、
前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、
前記第１の前記入力端（２ｔ）において流れる第１電流（Ｉｔ）を検出する第１の電流検出器（３ｔ）と、
前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、
前記直流電圧を他の交流電圧（Ｖｕ，Ｖｖ，Ｖｗ）に変換して出力するインバータ（４）と、
前記インバータの動作を制御するインバータ制御部（７）と、
前記第１電流（Ｉｔ）と、前記線間電圧（Ｖｒｓ）もしくは前記相電圧（Ｖｒｎ）とに基づいた三相の補償電流（Ｉｕ，Ｉｖ，Ｉｗ）を、所定の対応関係で前記第１乃至第３の前記入力端子（５ｔ，５ｒ，５ｓ）に供給する並列型のアクティブフィルタ（２００Ｂ）と
を備え、
前記電圧検出器（８）が検出する前記線間電圧（Ｖｒｓ）もしくは前記相電圧（Ｖｒｎ）のゼロクロス信号（Ｘｒｓ）は、前記インバータ（４）の制御及び前記アクティブフィルタ（２００Ｂ）のいずれの制御にも採用されるインバータ基板（１００Ｂ）。
【請求項２】
前記アクティブフィルタ（２００Ｂ）は、
連系リアクトル（２６）と、
前記連系リアクトルを介して前記補償電流を供給する第２のインバータ（２１）と、
前記ＬＣフィルタ（６）を構成する前記コンデンサ（６）と整合して小容量であって、その支える電圧（Ｖｄｃ）が前記第２のインバータによって維持されるコンデンサ（２２）と、
前記第２のインバータを駆動するアクティブフィルタ制御部（２７）と
を有する、請求項１記載のインバータ基板（１００Ｂ）。
【請求項３】
前記第１電流（Ｉｔ）は、前記インバータ（４）の制御及び前記アクティブフィルタ（２００Ｂ）のいずれの制御にも採用される、請求項１または請求項２記載のインバータ基板（１００Ｂ）。
【請求項４】
インバータ基板（１００Ｂ）と、三相の電源線（１ｔ，１ｒ，１ｓ）との接続順序を判断する方法であって、
前記インバータ基板は、
前記電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、
一対の直流母線（ＬＨ，ＬＬ）と、
前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、
前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、
前記第１の前記入力端（２ｔ）において流れる第１電流（Ｉｔ）を検出する第１の電流検出器（３ｔ）と、
前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、
前記直流電圧を他の交流電圧（Ｖｕ，Ｖｖ，Ｖｗ）に変換して出力するインバータ（４）と、
前記インバータの動作を制御するインバータ制御部（７）と、
前記第１電流（Ｉｔ）と、前記線間電圧（Ｖｒｓ）もしくは前記相電圧（Ｖｒｎ）とに基づいた三相の補償電流（Ｉｕ，Ｉｖ，Ｉｗ）を、所定の対応関係で前記第１乃至第３の前記入力端子（５ｔ，５ｒ，５ｓ）に供給する並列型のアクティブフィルタ（２００Ｂ）と
を備え、
前記方法は、前記線間電圧（Ｖｒｓ）もしくは前記相電圧（Ｖｒｎ）と、少なくとも前記第１電流（Ｉｔ）とに基づいて、前記第１乃至第３の前記入力端子（５ｔ，５ｒ，５ｓ）と前記電源線との接続順序を判断する、接続順序の判断方法。
【請求項５】
三相の電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、
一対の直流母線（ＬＨ，ＬＬ）と、
前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、
前記第１の前記入力端（２ｔ）において流れる第１電流（Ｉｔ）を検出する第１の電流検出器（３ｔ）と、
前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、
前記直流電圧を他の交流電圧（Ｖｕ，Ｖｖ，Ｖｗ）に変換して出力するインバータ（４）と、
前記インバータの動作を制御するインバータ制御部（７）と
を備えるインバータ基板（１００Ａ，１００Ｂ）と、前記電源線（１ｔ、１ｒ、１ｓ）との接続順序を判断する方法であって、
前記線間電圧（Ｖｒｓ）もしくは前記相電圧（Ｖｒｎ）と、前記第１電流（Ｉｔ）とに基づいて、前記第１乃至第３の前記入力端子（５ｔ，５ｒ，５ｓ）と前記電源線との接続順序を判断する、接続順序の判断方法。
【請求項６】
三相の電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、
一対の直流母線（ＬＨ，ＬＬ）と、
前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、
前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、
前記第１の前記入力端（２ｔ）において流れる第１電流（Ｉｔ）を検出する第１の電流検出器（３ｔ）と、
前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、
前記直流電圧を他の交流電圧（Ｖｕ，Ｖｖ，Ｖｗ）に変換して出力するインバータ（４）と、
前記インバータの動作を制御するインバータ制御部（７）と
を備えるインバータ基板（１００Ａ，１００Ｂ）と、前記電源線（１ｔ，１ｒ，１ｓ）との接続順序を、前記線間電圧（Ｖｒｓ）もしくは前記相電圧（Ｖｒｎ）と、少なくとも前記第１電流（Ｉｔ）とに基づいて判断する方法であって、
特定時点における前記第１電流（Ｉｔ）と前記第２の前記入力端（２ｒ）に流れる第２電流（Ｉｒ）との大小関係により、前記第１乃至第３の前記入力端子（５ｔ，５ｒ，５ｓ）と前記電源線（１ｔ，１ｒ，１ｓ）との接続順序を判断し、
前記特定時点は、
前記線間電圧（Ｖｒｓ）が値零を採った時点から前記線間電圧の周期のＮ／１２倍（Ｎ＝１，５，７，１１）の時間（ｔｄ）が経過した時点、または
前記相電圧（Ｖｒｎ）が値零を採る時点
である、接続順序の判断方法。
【請求項７】
三相の電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、
一対の直流母線（ＬＨ，ＬＬ）と、
前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、
前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、
前記第１の前記入力端（２ｔ）において流れる第１電流（Ｉｔ）を検出する第１の電流検出器（３ｔ）と、
前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、
前記直流電圧を他の交流電圧（Ｖｕ，Ｖｖ，Ｖｗ）に変換して出力するインバータ（４）と、
前記インバータの動作を制御するインバータ制御部（７）と
を備えるインバータ基板（１００Ａ，１００Ｂ）と、前記電源線（１ｔ，１ｒ，１ｓ）との接続順序を、前記線間電圧（Ｖｒｓ）もしくは前記相電圧（Ｖｒｎ）と、少なくとも前記第１電流（Ｉｔ）とに基づいて判断する方法であって、
特定時点における前記第１電流（Ｉｔ）と前記第３の前記入力端（２ｓ）に流れる第２電流（Ｉｓ）との大小関係により、前記第１乃至第３の前記入力端子（５ｔ，５ｒ，５ｓ）と前記電源線（１ｔ，１ｒ，１ｓ）との接続順序を判断し、
前記特定時点は、
前記線間電圧（Ｖｒｓ）が値零を採った時点から前記線間電圧の周期のＮ／１２倍（Ｎ＝１，５，７，１１のいずれか）の時間（ｔｄ）が経過した時点、または
前記相電圧（Ｖｒｎ）が値零を採る時点もしくは当該時点から前記相電圧の周期のＭ／１２倍（Ｍ＝２，４，６，８，１０のいずれか）の時間（ｔｄ）が経過した時点
である、接続順序の判断方法。
【請求項８】
前記インバータ基板（１００Ａ，１００Ｂ）は
前記第２電流（Ｉｒ；Ｉｓ）を検出する第２の電流検出器
を更に備える、請求項６または請求項７に記載の接続順序の判断方法。
【手続補正２】
【補正対象書類名】明細書
【補正対象項目名】００１３
【補正方法】変更
【補正の内容】
【００１３】
そこで本願では、簡易な構成により、相順序の異常を検出する技術を提供することを目的とする。
【手続補正３】
【補正対象書類名】明細書
【補正対象項目名】００１４
【補正方法】変更
【補正の内容】
【００１４】
この発明にかかるインバータ基板の第１の態様（１００Ｂ）は、三相の電源線（１ｔ，１ｓ，１ｒ）に接続され、前記電源線から三相の交流電圧（Ｖｔ，Ｖｒ，Ｖｓ）が印加される第１乃至第３の入力端子（５ｔ，５ｒ，５ｓ）と、一対の直流母線（ＬＨ，ＬＬ）と、前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、前記第１の前記入力端（２ｔ）において流れる第１電流（Ｉｔ）を検出する第１の電流検出器（３ｔ）と、前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、前記直流電圧を他の交流電圧（Ｖｕ，Ｖｖ，Ｖｗ）に変換して出力するインバータ（４）と、前記インバータの動作を制御するインバータ制御部（７）と、前記第１電流（Ｉｔ）と、前記線間電圧（Ｖｒｓ）もしくは前記相電圧（Ｖｒｎ）とに基づいた三相の補償電流（Ｉｕ，Ｉｖ，Ｉｗ）を、所定の対応関係で前記第１乃至第３の前記入力端子（５ｔ，５ｒ，５ｓ）に供給する並列型のアクティブフィルタ（２００Ｂ）とを備える。前記電圧検出器（８）が検出する前記線間電圧（Ｖｒｓ）もしくは前記相電圧（Ｖｒｎ）のゼロクロス信号（Ｘｒｓ）は、前記インバータ（４）の制御及び前記アクティブフィルタ（２００Ｂ）のいずれの制御にも採用される。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
この発明にかかるインバータ基板（１００Ｂ）の第２の態様は、その第１の態様であって、前記第１電流（Ｉｔ）は、前記インバータ（４）の制御及び前記アクティブフィルタ（２００Ｂ）のいずれの制御にも採用される。
【手続補正６】
【補正対象書類名】明細書
【補正対象項目名】００１８
【補正方法】変更
【補正の内容】
【００１８】
この発明にかかる接続順序の判断方法の第１の態様は、インバータ基板（１００Ｂ）と、三相の電源線（１ｔ，１ｒ，１ｓ）との接続順序を判断する方法である。前記インバータ基板は、前記電源線（１ｔ，１ｒ，１ｓ）に接続され、前記電源線から三相の交流電圧（Ｖｔ，Ｖｒ，Ｖｓ）が印加される第１乃至第３の入力端子（５ｔ，５ｒ，５ｓ）と、一対の直流母線（ＬＨ，ＬＬ）と、前記第１乃至第３の入力端子にそれぞれ対応する第１乃至第３の入力端（２ｔ，２ｒ，２ｓ）を有し、前記交流電圧を整流して前記一対の直流母線に直流電圧を印加する整流回路（２）と、前記一対の直流母線（ＬＨ，ＬＬ）に設けられ、チョークインプット型のＬＣフィルタ（６）を構成するインダクタ（Ｌ６）、および前記直流電圧を平滑する機能を省略する程に静電容量が小さいコンデンサ（Ｃ６）と、前記第１の前記入力端（２ｔ）において流れる第１電流（Ｉｔ）を検出する第１の電流検出器（３ｔ）と、前記第１乃至第３の前記入力端子の一対（５ｒ，５ｓ）同士の間の線間電圧（Ｖｒｓ）もしくは前記第２の前記入力端子（５ｒ）に印加される一の前記交流電圧の相電圧（Ｖｒｎ）を検出する電圧検出器（８）と、前記直流電圧を他の交流電圧（Ｖｕ，Ｖｖ，Ｖｗ）に変換して出力するインバータ（４）と、前記インバータの動作を制御するインバータ制御部（７）と、前記第１電流（Ｉｔ）と、前記線間電圧（Ｖｒｓ）もしくは前記相電圧（Ｖｒｎ）とに基づいた三相の補償電流（Ｉｕ，Ｉｖ，Ｉｗ）を、所定の対応関係で前記第１乃至第３の前記入力端子（５ｔ，５ｒ，５ｓ）に供給する並列型のアクティブフィルタ（２００Ｂ）とを備える。前記方法は、前記線間電圧（Ｖｒｓ）もしくは前記相電圧（Ｖｒｎ）と、少なくとも前記第１電流（Ｉｔ）とに基づいて、前記第１乃至第３の前記入力端子（５ｔ，５ｒ，５ｓ）と前記電源線との接続順序を判断する。
【手続補正７】
【補正対象書類名】明細書
【補正対象項目名】００２４
【補正方法】変更
【補正の内容】
【００２４】
この発明にかかるインバータ基板の第１の態様によれば、入力端子と入力端との間に対応関係があり、所定の入力端子に対応する入力端に流れる電流を検出するので、入力端子と電源線との接続順序が簡易な構成で検出される。そして入力端子と電源線との接続順序に応じた補償電流が、アクティブフィルタから得られる。また電源が不平衡であっても入力端子と電源線との接続順序を検出しやすい。そして部品点数が削減される。
【手続補正８】
【補正対象書類名】明細書
【補正対象項目名】００２５
【補正方法】削除
【補正の内容】